(57)【特許請求の範囲】
【請求項１】
折畳式キーボードであって以下の構成を備える。
キーボードをその長手方向のほぼ中央位置の隣接キートップの境界線で切断して構成された２つの分割キーボードと、
細長い板状の遮蔽板と、その遮蔽板の一方の側縁が一方の分割キーボードの切断面の底部に回動自在に取付けられ、遮蔽板の両端にほぼ垂直に２つのブラケットが対向して設けられ、これらブラケットの遮蔽板の他方の側縁側に一対のスライドピンが設けられ、これらスライドピンは他方の分割キーボードの切断面側の両側面に形成された長溝に摺動自在に嵌合され、
上記各分割キーボードの切断面側の両側板に設けられた各一対の結合ピンと、
長手方向に延長された長孔を有し、上記各一対の結合ピンが摺動自在に遊嵌させた移動リンクと
上記分割キーボードを折り畳み状態から開くと、上記スライドピンを中心に回動し、上記一対の結合ピンが上記長孔の両端に位置し、上記スライドピンがスライドすると共に上記遮蔽板及び上記移動リンクが回動するように、上記結合ピンの取付け位置、上記長孔の長さが選定されている。
【請求項２】
折畳式キーボードであって以下の構成を備える。
キーボードをその長手方向のほぼ中央位置の隣接キートップの境界線で切断して構成された２つの分割キーボードと、
細長い板状の遮蔽板と、その遮蔽板の一方の側縁が一方の分割キーボードの切断面底部に回動自在に取付けられ、その遮蔽板の両端にほぼ垂直に２つのブラケットが対向して設けられ、これらブラケットの遮蔽板の他方の側縁側に一対のスライドピンが設けられ、これらスライドピンは他方の分割キーボードの切断面側の両側面に形成された長溝に摺動自在に嵌合され、
ピン孔に上記他方の分割キーボードの切断面側の両側板に設けられた各一対の結合ピンと、
長手方向に延長された長孔と一端部にピン孔を有し、上記長孔に上記一対の結合ピンの一方が摺動自在に遊嵌され、上記ピン孔に上記一対の結合ピンの他方が挿入されてこれに軸支された移動リンクと、
上記分割キーボードを折り畳み状態から開くと、上記スライドピンを中心に回動し、上記一方結合ピンが上記長孔の上記ピン孔と反対端に位置し、上記スライドピンがスライドすると共に上記遮蔽板及び上記移動リンクが回動するように上記結合ピンの取付け位置、上記長孔の長さが選定されている。
【請求項３】
請求項２記載の折畳式キーボードにおいて、
上記移動リンクの長孔は上記ピン孔と反対は円部とされ、他は幅狭部とされ、この長孔に摺動自在に遊嵌する上記結合ピンの断面はＤ形状であり、このＤ形状の短径は上記幅狭部の幅とほぼ等しく、長径は上記円部の直径とほぼ等しく、Ｄ形状平坦部がキーボード厚さ方向とほぼ平行とされている。
【請求項４】
請求項１〜３の何れかに記載の折畳式キーボードにおいて、
上記両分割キーボードの切断面が当接した状態でその状態を保持し、またその保持状態を解除するロック手段を備える。
【請求項５】
請求項１〜４の何れかに記載の折畳式キーボードにおいて、
上記両分割キーボードの各キースイッチに対する配線基板を接続する連結用可撓性配線基板が折り畳まれて収納される収納部が少くとも一方の分割キーボードの切断面の近傍に設けられている。
【請求項６】
請求項１〜５の何れかに記載の折畳式キーボードにおいて、
上記切断面側の両側板にそれぞれ切断面によりリンク用溝が形成され、そのリンク用溝内に上記移動リンクが回動できるように収容されている。
【発明の詳細な説明】
【０００１】
【発明の属する技術分野】
この発明は、キーボードを分割して折り畳み自在とし、折り畳むことによって露出するキーボード分割切断面を覆う遮蔽板を備えた折畳式キーボードに関する。
【０００２】
【従来の技術】
キーボードのほぼ中央部の隣接キートップの境界線で切断して折り畳み自在とし、持ち運ぶ際にコンパクトな構造とした折畳式キーボードが提案されている。この種の折畳式キーボードにおいて、キーボードを折り畳んだ際に、露出する分割キーボードの分割切断面を遮蔽板で覆うようにしたものが例えば、日本国特許公開２０００−５６９０４号公報に示されている。
この公報に示す折畳式キーボードを図１〜３を参照して簡単に説明する。図１（ａ）はキーボード１がその長手方向における中央部で分割キーボード２と３に分割され、これら分割キーボード２及び３がそのキートップ側を互に内側として折り畳まれた状態を示す。これら分割キーボード２と３は遮蔽板７１とヒンジ７２及び７３で連結され、この図１（ａ）に示したキートップを互いに内側として分割キーボード２と３を折り畳んだ状態から、その遮蔽板７１と反対側を開くことにより、図１（ｂ）、（ｃ）、（ｄ）と順次示すような使用状態とされる。
【０００３】
所でこの従来の折畳式キーボードは図２に示すように、キーボード１の長手方向のほぼ中央位置の隣接キートップの境界線で分割されたキーボード２，３の一方、分割キーボード３はその切断縁が長方形の遮蔽板７１の一側縁にヒンジ７３で回動自在に連結され、矩形状の支持プレート８１の一辺が遮蔽板７１の他の側縁にヒンジ７２で回動自在に連結される。支持プレート８１の両側縁部にキーボード１の長手方向と平行した１対の突条８２が形成され、分割キーボード２の前後の側縁部底面にガイド溝８３（図３）が設けられ、このガイド溝８３が支持プレート８１、ガイド突条８２とその外側縁にスライド自在に遊嵌される。このようにして分割キーボード２は分割位置で対向する分割キーボード３との当接位置までキーボード１の長手方向に沿って支持プレート８１のガイド突条８２上を進退自在に支持される。
【０００４】
ロックレバー８６が、分割キーボード３の分割キーボード２との衝合面の近くの外側面にピン８７で回動自在に支持され、復帰スプリング８８により、その分割キーボード２側の先端部８９が内側に付勢される。このロックレバー８６の先端部８９にはその内側に傾斜爪８９ａが形成されている。図２、図３に示すように分割キーボード２と３を開いた状態においてガイド突条部８２の延長線上に分割キーボード３にガイド突条８５が形成され、分割キーボード２を矢印方向、つまり分割キーボード３の側に移動させると分割キーボード２は分割キーボード３の切断面に当接すると共にガイド溝８３はガイド突条８５に嵌合し、ロックレバー８６の先端部８９の爪８９ａが、分割キーボード２の側面に形成された係止凹部８４に係合して分割キーボード２，３が一体化される。
【０００５】
図１（ａ）に示したように分割キーボード２，３が折り畳まれた状態から、その連結端と反対側の端部を矢印方向に開いて、分割キーボード２，３を、図１（ｂ）の状態を経て図１（ｃ）に示す水平状態とする。この状態において、分割キーボード２，３を相互に接近するように矢印方向に移動させ、その分割キーボード２，３の切断面を当接させるとロックレバー８６、係止凹部８４などよりなる係合機構７５により分割キーボード２と３が同一平面で互いに固定されて図１（ａ）に示すように使用状態となる。
【０００６】
【発明が解決しようとする課題】
この従来の折畳式キーボードにおいては折り畳み状態図１（ａ）において露出する分割キーボード２，３の切断面を覆う遮蔽板７１を分割キーボード２，３に対し屈曲可能とするために矩形状の支持プレート８１と遮蔽板７１とを回動自在とするヒンジ７２のみならず、分割キーボード２をガイド突条８２に沿ってスライドさせる機構が必要であり、折り畳み状態と使用状態との状態変更時に、つまり開閉動作時に回動動作とスライド動作との２動作を行わなければならず取扱いがよくなかった。またこのように２動作を行う構成は機構的にこわれ易い欠点がある。
【０００７】
この発明の目的は開閉動作を一動作で行うことができ、従って機構的にも強い折畳式キーボードを提供することにある。
【０００８】
【課題を解決するための手段】
この発明によれば、キーボードはほぼ中央部の隣接キートップ境界線で分割された２つの分割キーボードの一方の切断面下部に、細長い遮蔽板の一側縁が回動自在に取付けられ、遮蔽板の両端縁より同一側にブラケットが対向して立てられ、遮蔽板の他側縁側でこれらブラケットに対向するようにスライドピンがそれぞれ立てられ、他方の分割キーボードの切断面側の両外側面に設けた長溝にこれらスライドピンがそれぞれスライド自在に嵌合させる。また、長孔を設けた移動リンクが設けられ、この長孔内に、各分割キーボードの切断面側の各側板に設けたピンが摺動自在に遊嵌される。
【０００９】
【発明の実施の形態】
この発明の折畳式キーボードの実施例について説明する。
図４（ａ）に使用状態における折畳式キーボードの平面図を示す。
キーボード１は長さ方向（左右方向）のほぼ中央部の隣接キートップ境界線において分割線５に沿って切断され、分割キーボード２と分割キーボード３に分割され、これら分割キーボード２と３はキーボード切断部側に設けられたヒンジ機構１０で折り畳み可能に連結されている。図４（ｂ）に分割キーボード２と３をキートップ４を内側として折り畳んだ状態の正面図を示す。  図４（ｂ）はヒンジ機構図を解り易くするための図であって実際の外形とは異なっている。外部機器と接続するコネクタ６がキーボード１の背面の一端部に取付けられている。
【００１０】
図５に本発明の折畳式キーボードの折り畳み（収納）状態から使用（開）状態への各状態のキーボードの一部及びヒンジ機構１０の構成を示す。
このヒンジ機構１０は、一方の分割キーボード２の切断面側の側板に備えた結合ピンＡ１７、他方の分割キーボード３の切断面側の側板に設けた結合ピンＢ１８及び長溝１６、遮蔽板１１、遮蔽板１１に設けたブラケット１２及びブラケット１２に設けたスライドピン１９、移動リンク１３、ピン軸１５等から構成される。
【００１１】
図６（ａ）に遮蔽板１１を一方の分割キーボード２に取付けた状態を簡略に斜視図として示す。遮蔽板１１は細長い板状であり例えばＡＢＳ樹脂の成形品として構成される。遮蔽板１１の長手方向はほぼキーボード１の切断面における前面と背面との間の長さを有し、幅方向はほぼ、分割キーボード２，３の切断面における各厚みの和の長さを有している。遮蔽板１１は、分割キーボード２と３を折り畳んだ状態で図５（ａ）、図６（ｂ）に示すように、分割キーボード２と３の両切断面と対向して内部を塞ぐ状態とされ、遮蔽板１１の一方の側縁、図５（ａ）では下側縁は分割キーボード２の分割面の下部に回動自在に結合される。例えば図６（ａ）及びその分解図６（ｂ）に示すように、分割キーボード２の底板２ａのキーボード切断面に両端部がわずか突出するように細長い切欠き１３１が形成され、一方遮蔽板１１の分割キーボード２との連結側の縁部は両端を除き、細長い連結縁部１３２が突出され、その連結縁部１３２が切欠き１３１にほぼ嵌合するように位置され、分割キーボード２の前後の側板の前記切欠き１３１により形成された突出部にそれぞれ貫通孔１３３が形成され、これら貫通孔１３３と対向して連結縁部１３２の前後の面に軸孔１３４がそれぞれ形成され、ピン軸１５が貫通孔１３３に挿通保持されると共にその突端が軸孔１３４にそれぞれ挿入されて遮蔽板１１が分割キーボード２に回動自在に保持される。
【００１２】
遮蔽板１１の長手方向両端よりブラケット１２が同一側に一体に折り曲げ位置されて互いに対向し、遮蔽板１１の連結縁部１３２と反対の側縁寄りにおいてブラケット１２の互いの内面にはスライドピン１９が対向するように立てられている。
分割キーボード３の切断面側の両側板の外面に、左右方向（キーボード１の長手方向）に延長した長溝１６が形成され、これら長溝１６にスライドピン１９がそれぞれスライド自在に係合される。分割キーボード２，３の側板内にそれぞれ設けた結合ピンＡ１７、ピンＢ１８がこれら両側板内に配した移動リンク１３の長孔（肉抜き部）１４に挿入され、移動リンク１３は摺動自在とされる。
【００１３】
分割キーボード２のケースは分解し、その一部のみを例えば図７（ａ）に示すように方形皿状底部２ａと、その方形皿状底部２ａの三方周辺に形成された鍔部２ａ１上に配されるＵ字状上部２ｂとよりなり、これらは例えばねじで互いに固定される。図７（ａ）に示している部分は分割キーボード２の切断面側の一部であってその鍔部２ａ１上の前方にリンク用溝１０１ａが前記切断面と接して上下方向に形成され、Ｕ字状上部２ｂのリンク用溝１０１ａと連結するリンク用溝１０１ｂが外面に達するまで形成され、また図７（ａ）中の矢印７（ｂ）で示す、リンク用溝１０１ｂの形成内面部分を図７（ｂ）（内部が見えるように手前の壁部を一部除去してある）に示すようにリンク用溝１０１ｂと直交する短かいピン保持溝１０２が形成され、移動リンク１３の長孔１４に結合ピンＡ１７を挿通させた状態で移動リンク１３の一半部をリンク用溝１０１ａに配し、結合ピンＡ１７をピン保持溝１０２内に収納し、この状態で皿状底部２ａとＵ字状上部２ｂとを互に固定する。ピン保持溝１０２の両端部は、リンク用溝１０１ａの形成内面の突出面で塞さがれ、ピン保持溝１０２に収納された結合ピンＡ１７は分割キーボード２の側板内に保持される。
【００１４】
分割キーボード３の切断面側の前方部において、図に示していないが、リンク用溝１０１ａ，１０１ｂまたピン保持溝１０２と同様のリンク用溝１０３ａ，１０３ｂ（１０３ａは図示せず、１０３ｂのみ図４（ａ）に示す）とピン保持溝１０４（図示せず）が形成され、結合ピンＢ１８を挿通した移動リンク１３の他半部がリンク用溝１０３ａ，１０３ｂ内に配され、結合ピンＢ１８がピン保持溝１０４に収容されて分割キーボード３の側板内に結合ピンＢ１８が保持される。
移動リンク１３の長さは分割キーボード２，３の各厚さの和より小とし、長孔１４の形成面における幅は各分割キーボード２，３の各厚さのほぼ１／２程度とする。また、長孔１４の長さはキーボード使用状態における結合ピンＡ１７とピンＢ１８の外側間の長さよりやや長くし、長孔１４の幅はピンＡ１７、ピンＢ１８の外径よりやや大とする。
【００１５】
移動リンク１３と結合ピンＡ１７、ピンＢ１８は分割キーボード２，３の切断面の近くの後方部にも設けられる。その対応リンク用溝１０５ｂ，１０６ｂを図４（ａ）中に示す。
次に、図５を参照してキーボードの折り畳み（収納）状態から使用状態（開状態）への各状態を説明する。図５において各状態における遮蔽板１１、移動リンク１３、ピンＡ１７，Ｂ１８，１９、長溝１６の関係が解り易いように、これらを実線で示した。
【００１６】
（ａ）水平に配された折り畳み状態においては、分割キーボード２，３はそのキートップ４側の面を対向させて折り畳まれている。遮蔽板１１は分割キーボード２，３の切断面を覆い、分割キーボード２の底面に対し垂直状態とされ、また、ブラケット１２に設けたピンＣ１９は分割キーボード３の長溝１６のキーボード切断面に近い位置にある。また、移動リンク１３はピンＡ１７、ピンＢ１８にガイドされ、分割キーボード２の底面に対し垂直状態にされている。正確には図６（ｃ）に示すように分割キーボード２，３の切断面及びその連結部は遮蔽板１１とブラケット１２によりほぼ完全に覆われている。なおブラケット１２がキーボード側面より出ないように、また回動の邪魔にならないように分割キーボード２，３の切断面側の外側面に浅い凹部１１０，１１１が形成されている。
【００１７】
（ｂ）折り畳み状態（ａ）から分割キーボード３の切断面と反対の端部を持ち上げると、スライドピン１９を中心として分割キーボード３は回動して移動リンク１３の長孔１４の両端に結合ピンＡ１７、ピンＢ１８が当接する。
（ｃ）分割キーボード３の端部を更に持ち上げて回動させると遮蔽板１１のブラケット１２に設けたピンＣ１９は分割キーボード３の長溝１６を摺動してキーボード切断面から離れる方向に移動すると共に移動リンク１３はピンＡ１７を中心として図において時計方向に回動して分割キーボード３は分割キーボード２の底面に対してほぼ垂直状態となる。
【００１８】
（ｄ）分割キーボード３をその垂直状態から、分割キーボード２に対して更に開くように回動させると、分割キーボード２と３は、ピンＡ１７とピンＢ１８とが移動リンク１３の長孔１４とによりその間隔が規制されて遮蔽板１１のブラケット１２に設けたスライドピン１９が長溝１６に沿ってキーボード切断面と反対方向に更に移動する。
（ｅ）分割キーボード３をさらに開くように回動させて分割キーボード２とそのキーボード面を面一にすると、遮蔽板１１のブラケットに設けたスライドピンＣ１９は長溝１６に沿って更に移動して、キーボード切断面と反対側の端部に移動する。この状態でピンＡ１７とピンＢ１８が移動リンク１３の長孔１４の両端に位置し、また遮蔽板１１の連結縁部１３２の端面が切欠き１３１の切欠き面と対接して、分割キーボード３を図で時計方向に更に回動させることはできない、つまり分割キーボード２と３はその両キートップ４の面が同一面上に保持される。
【００１９】
次に、ヒンジ機構の他の例を説明する。
図８にこの場合のヒンジ機構の折り畳み状態から使用状態の各状態、及びヒンジ機構の構成を示す。この図においても遮蔽板１１、ブラケット１２、スライドピン１９、移動リンク２３、結合ピン２７，３０の関係が解り易いようにこれらを実線で示している。実際には先に示した実施例と同様に結合ピン２７，３０、移動リンク２３はキーボードの側板内に配されている。また、図９（ａ）にこのヒンジ機構に用いられる移動リンク２３と断面Ｄ形状の結合ピン２７を示す。
【００２０】
図５で説明したヒンジ機構とは移動リンクの長孔（肉抜き部）の形状と結合ピンＡの断面形状、及び結合ピンＢを移動リンクのピン孔に回動自在に挿通した点が異なる。
図９（ａ）に示すように、結合ピン２７の断面はＤ形状とし、移動リンク２３の長孔２４は長孔の大部分を構成する幅狭部２５と、移動リンク２３の一端側の端部の形成された円部２６から構成される。幅狭部２５の幅は結合ピン２７の断面Ｄ形状の短径ｄ１よりやや大とされ、円部２６の径はＤ形状の長径ｄ２よりやや大とする。また、分割キーボード３に設けた結合ピン３０は移動リンク２３の他端部に設けたピン孔２８に挿入され、移動リンク２３はピン３０に軸支される。
【００２１】
（ａ）水平に配置された折り畳み状態においては、分割キーボード２，３はそのキートップ４の面を対向させて折り畳まれている。遮蔽板１１は分割キーボードの切断面を覆い、ほぼ垂直状態とされ、ブラケット１２に設けたピン１９は分割キーボード３の長溝１６のキーボード切断面に近い位置にある。また、移動リンク２３は断面Ｄ形状ピン２７にガイドされ垂直状態にある。この時、断面Ｄ形状ピン２７は、移動リンク２３の幅狭部２５のピン孔２８側端に位置している。
（ｂ）収納状態から分割キーボード３のキーボード切断面と反対側の端部を持ち上げると、ピン１９を中心として分割キーボード３は回動して断面Ｄ形状ピン２７は移動リンクの長孔の円部２６に当接する。
【００２２】
（ｃ）分割キーボード３の端部を更に持ち上げて回動させると、遮蔽板１１のブラケット１２に設けたピンＣ１９は分割キーボード３の長溝１６を摺動すると共に移動リンク２３は断面Ｄ形状ピン２７を中心として回動し分割キーボード３はほぼ垂直状態となる。
（ｄ）分割キーボード３を垂直状態から、分割キーボード２に対しさらに開くように回動させると、分割キーボード２と３は結合ピン２７、ピン３０と移動リンク２３のピン孔２８と長孔２４によりその間隔が規制されて遮蔽板１１のブラケットに設けたピン１９は長溝１６に沿ってキーボード切断面からさらに離れるように移動する。
【００２３】
（ｅ）分割キーボード３を分割キーボード２に対しさらに開くように回動させて分割キーボード２と分割キーボード３の両キートップの頂面を面一にすると遮蔽板１１のブラケットに設けたピン１９は長溝１６に沿って更に移動してキーボード切断面と反対側の端部に移動する。この状態においては先の実施例と同様に、移動リンク２３とピン２７，３０による規制と、遮蔽板１１の連結縁部１３２の端面と切欠き１３１の切欠き面とが対接して、分割キーボード３が図において時計方向に更に回動することができず、分割キーボード２と３が同一平面上に保持される。
【００２４】
上記ヒンジ機構は、断面Ｄ形状ピン２７を用い、長孔に円部２６を設けたために開閉動作の分割キーボードのほぼ垂直に動作する位置（図８（ｃ））から断面Ｄ形状ピン２７に円部２６が嵌合し、このピン２７を中心として、開閉動作が一定の軌跡を描くこととなり、スムースな開閉が可能となる。
図９（ｂ）に移動リンクの変形例を示す。この移動リンク３３はピン孔２８を設けると共に一定幅の長孔３４を設けたものである。この移動リンク３３を用いて前記移動リンク１３，２３と同様の動作をさせることができることは容易に理解されよう。
【００２５】
以上説明したように、本発明は、折畳式キーボードにおいて折り畳み状態から使用状態へは一方の分割キーボードの端部を持ち上げて回動する一回の操作により使用状態とすることができるので操作が容易であり、また、このように一回の操作で行うことができる機構は複数操作で行う場合より機構的に強いものとすることができる。
また、折畳んだ状態では遮蔽板１１で分割キーボード２，３の切断面を覆うことができるので、塵埃、水滴等の侵入を防止できると共に、分割部が剥き出しにならないので内部の機械的な保護ができる。
【００２６】
さらに、移動リンクと結合ピン１７，１８又は２７，２８を備えたことにより分割キーボードの開閉をスムースに行うことができ、しかも使用状態においては両分割キーボード間の隙間をなくすことができる。
次に、使用状態における両分割キーボードのロック機構を説明する。
上記に説明された折畳式キーボードの使用状態（図５（ｅ）、図８（ｅ））においては、不用意な力が分割キーボード２，３に作用すると両分割キーボード２，３が折れ曲がる恐れがある。
【００２７】
図１０に折畳式キーボードの使用状態（開状態）におけるロック機構を示す。ロック機構４０はキーボード１の前面側板、背面側板の各キーボード切断面側にそれぞれ設けられ、分割キーボード３の切断面側の外側面に横長窓４２が設けられ、横長窓４２より操作子４１が外部へ突出される。
操作子４１は操作板４３に固定され、操作板４３は前、後の側板内に形成された案内溝４５により左右にスライドできるように収容されている。操作子４１を分割キーボード２側に移動させ、操作板４３をスライドさせると、操作板４３が出入する係合孔４４が分割キーボード２の切断面に形成されている。
【００２８】
図１０（ｂ）に示すロック解除状態から操作子４１を窓４２に沿って矢印（右方向）４７、つまり分割キーボード２側にスライドさせると操作部４３も矢印４７方向へ移動して分割キーボード２に設けた係合孔４４に挿入係合し、図１０（ｄ）に示す状態、つまりロック状態となる。この状態では分割キーボード２と３間にこれらを折り曲げる外力が加わっても操作板４３と係合孔４４とにより、分割キーボード２と３は同一平面状態に保持される。
なおロック機構として、図２及び図３中に示した係合機構７５を用いることもできる。
【００２９】
このようにロック機構を設けることで使用状態において折畳式キーボードが折れ曲がることを回避できる。
次に、分割キーボード間の接続構成について説明する。
図１１（ａ）に一部の平面図と折り畳み状態図１１（ｂ）から使用状態図１１（ｆ）の接続構成の各状態を示す。分割キーボード２と３の一方、この例では分割キーボード３の各キースイッチに対する可撓性配線基板（ＦＰＣＢ）は集束され、連結用可撓性配線基板５０により、分割キーボード２に対する可撓性配線基板に接続される。
【００３０】
一方の分割キーボード２のキーボード切断面の近傍に収納部５１が設けられ、連結用可撓性配線基板（ＦＰＣＢ）５０が折り畳んで収納される。折り畳んだ連結用ＦＰＣＢ５０の延長部は、分割キーボード２，３の各キーボード切断面における各Ｕ字状上部に設けた各円弧部５３にガイドされて他方の分割キーボード３の可撓性配線基板と接続される。
分割キーボード３の端部を持ち上げて回動するとＦＰＣＢ５０は、その円弧部５３間の部分に相当する分が徐々に収納部５１に収納され、つまり折り畳んだ長さ方向の長さが増加し、収納部５１の奥壁面５１ａに連結用ＦＰＣＢ５０が近ずき、使用状態（図１１（ｆ））では連結用ＦＰＣＢ５０の円弧部５３間の部分に相当する分が収納部５１内に収納されて、連結用ＦＰＣＢ５０の分割キーボード２と３の間のこれらと平行な面となる。
【００３１】
このようにして折畳式キーボードの開閉の際に発生する連結用ＦＰＣＢ５０のたるみに基づく障害や連結用ＦＰＣＢ５０に張力の発生を防止することができる。
なお、上記の説明は折り畳み状態から使用状態の操作について行っているが使用状態から折り畳み状態の操作も逆の操作で行うことができる。
収納部５１を分割キーボード２と３の両者に設けて、これら両収納部５１に連結用ＦＰＣＢ５０を分割収納してもよい。また上記説明において、分割キーボード２と３を入れかえて、従って分割キーボード３側に遮蔽板１１をピン軸１５で可動自在にした構成とすることもできる。また上述では長溝１６を側板の外面に形成したが、内面に形成してもよい。この場合はスライドピン１９はブラケット１２の外側に設ける。
【００３２】
【発明の効果】
この発明は、以上説明したように構成されているので以下の効果を奏する。
（１）分割キーボードの折り畳み状態と使用状態との相互の操作を一回の操作により行うことができ、かつ折り畳み状態で分割キーボードの切断面を遮蔽板で覆うことができる。
（２）移動リンクを備えているために分割キーボードの折り畳み状態と使用状態との相互の操作をスムースに行うことができる。
【図面の簡単な説明】
【図１】（ａ）は図１に示した従来の折畳式キーボードの折り畳み状態を説明するための側面図、（ｂ）、（ｃ）はその折り畳み状態から使用状態への途中の各状態を説明するための側面図、（ｄ）はその使用状態を説明するための側面図である。
【図２】従来の折畳式キーボードの分割部の構成を示す平面図である。
【図３】図２に示した従来の折畳式キーボードに用いられる係合機構を示す斜視図である。
【図４】（ａ）は本発明の実施例の折畳式キーボードの使用状態の正面図、（ｂ）は折り畳まれた状態のヒンジ機構部を強調した側面図である。
【図５】（ａ）は図４（ａ）に示した実施例の折り畳み状態を説明するための側面図、（ｂ）、（ｃ）、（ｄ）はそれぞれ図４（ａ）に示した実施例の折り畳み状態から使用状態へ操作する途中の各状態を説明するための側面図、（ｅ）は図４（ａ）の実施例の使用状態を説明するための側面図である。
【図６】（ａ）は図４（ａ）に示した実施例における分割キーボード２と遮蔽板１１との連結状態を説明するための斜視図、（ｂ）は（ａ）の分解斜視図、（ｃ）は図４（ａ）の実施例の折り畳み状態の遮蔽板１１によるキーボード切断面を覆う様子を示す斜視図である。
【図７】（ａ）は移動リンク１３と組合ピンＡ１７を分割キーボード２の側板内に設ける例を説明するための分解斜視図、（ｂ）は図７（ａ）中の矢印７（ｂ）より見た部分の一部除去した斜視図である。
【図８】（ａ）は本発明の他の実施例の折畳式キーボードの折り畳み状態を説明するための側面図、（ｂ）、（ｃ）、（ｄ）はそれぞれ図８（ａ）の状態から使用状態への各途中の状態を説明するための側面図、（ｅ）はその使用状態を説明するための側面図である。
【図９】（ａ）は本発明の折畳式キーボードに用いられる移動リンクの他の例を示す正面図、（ｂ）はその更に他の例を示す正面図である。
【図１０】（ａ）は本発明の折畳式キーボードにおけるロック機構を説明するための平面図、（ｂ）はそのロック機構を説明するためのロック解除状態における正面図、（ｃ）は図１０（ｂ）中の線１０ｃ上の断面を示す図、（ｄ）は前記ロック機構を説明するためのロック状態における正面図である。
【図１１】（ａ）は本発明の分割キーボード間の電気的接続構成を説明するための平面図、（ｂ）はそのキーボード折り畳み状態の電気的接続構成を説明するための側面図、（ｃ）、（ｄ）、（ｅ）はそれぞれ折り畳み状態から使用状態にする各途中の状態における電気的接続構成の変化状態を説明するための側面図、（ｆ）はその使用状態における電気的接続構成を説明するための側面図である。
【符号の説明】
１      キーボード            ２，３      分割キーボード
１０      ヒンジ機構              １１      遮蔽板
１２      ブラケット              １３      移動リンク
１４      長孔                    １５      ピン軸
１６      長溝                    １７      結合ピンＡ
１８      結合ピンＢ              １９      スライドピン
４０      ロック機構              ４１      操作子
４２      窓                      ４３      操作板
４４      係合孔                  ５０      連結用ＦＰＣＢ
５１      収納部
【図１】
0003795782.tif 000002
【図２】
0003795782.tif 000003
【図３】
0003795782.tif 000004
【図４】
0003795782.tif 000005
【図５】
0003795782.tif 000006
【図６】
0003795782.tif 000007
【図７】
0003795782.tif 000008
【図８】
0003795782.tif 000009
【図９】
0003795782.tif 000010
【図１０】
0003795782.tif 000011
【図１１】
0003795782.tif 000012